(57)【要約】      （修正有）【課題】携帯情報端末機器のデザイン性を損なわず、片手で安定して把持及び操作ができる滑り止め部材を提供する。【解決手段】断面の少なくとも一部が平面となるリング状部材と、平面に設けられた接着層とからなる。又は、断面の少なくとも一部が携帯情報端末機器の溝と嵌合するリング状部材からなる。【選択図】図１
0003168919.tif 000002
【実用新案登録請求の範囲】
【請求項１】
携帯情報端末機器に装着されるリング状部材であって、断面の少なくとも一部が平面となる前記リング状部材と、前記平面に設けられた接着層とからなる滑り止め部材。
【請求項２】
前記断面の形状の少なくとも一部が円弧となる請求項１記載の滑り止め部材。
【請求項３】
前記リング状部材が少なくともエラストマー、ゴムのうちいずれかを主要部材として構成されることを特徴とする請求項１または請求項２記載の滑り止め部材。
【請求項４】
携帯情報端末機器に装着されるリング状部材であって、断面の少なくとも一部が前記携帯情報端末機器に嵌合する形状であることを特徴とする滑り止め部材。
【請求項５】
前記断面の形状の少なくとも一部が円弧となる請求項４記載の滑り止め部材。
【請求項６】
前記リング状部材が少なくともエラストマー、ゴムのうちいずれかを主要部材として構成されることを特徴とする請求項４または請求項５記載の滑り止め部材。
【考案の詳細な説明】
【技術分野】
【０００１】
本考案は、携帯情報端末機器の滑り止め部材に関する。
【背景技術】
【０００２】
近年の携帯情報端末機器の発展に伴い筐体の小型化と他方、ディスプレイの大型化が進み、様々な形状、大きさの携帯情報端末機器が発表されている。このような状況で、昨今のタブレットＰＣのような携帯情報端末機器は一方の手で保持し他方の手で操作をするため、手から滑りやすく片手で保持しにくいという問題が出てきた。また、端末を任意の方向からも操作する事が行われるようになり、携帯情報端末機器を安定的に保持することが困難になってきている。このように、不安定な保持状態での操作を強いられる事になり、携帯情報端末機器を手から滑り落としてしまうという問題も重要視されてきた。
【０００３】
その対策として、携帯型電子機器の、使用者の手の掌に接する部位に革製シートを粘着剤で貼着することで、携帯型電子機器が手から滑り落ちることを防ぐ発明が提案されている（例えば、特許文献１参照）。
【０００４】
また、携帯型端末装置の本体と、本体に装着されたハンドベルトとの間に手を差し入れて使用することを促す落下防止の発明が提案されている（例えば、特許文献２参照）。
【０００５】
さらに、電子卓上計算機の筐体裏面に薄いゴム板などを装着することによって滑り止めとする考案や（例えば、特許文献３参照）、軟質部材に粘着層を設け、携帯電話の傷つきやすい箇所や滑り易い箇所に貼着し、携帯電話の保護と滑り止めができるようにした発明が提案されている（例えば、特許文献４参照）。
【先行技術文献】
【特許文献】
【０００６】
【特許文献１】特開２００４‐３２０３１０号公報
【特許文献２】特開２００１‐１１７６７２号公報
【特許文献３】実開昭５３‐３１９４１号公報
【特許文献４】特開２００２‐１９９０７６号公報
【考案の概要】
【考案が解決しようとする課題】
【０００７】
しかし、特許文献１のように携帯型電子機器を覆うように革製シートを取り付けているものは、携帯情報端末機器の形状に合致する形状の革製シートを必要とし、種々の携帯型電子機器に共通した形状の革製シートを提供することが困難であり、さらに携帯型電子機器を覆う形状であることから、放熱の問題も危惧されるという問題があった。
【０００８】
また、特許文献２のようなベルト式の滑り止め部材は螺着や鋲着等、筐体に加工を加えて装着しなければならず、後から自由に滑り止め部材を装着できないという問題もあった。また、保持する方向が一方向なので、任意の位置に保持することができないという問題があった。
【０００９】
また、特許文献３のような考案に関しては、載置時の滑り止めを主目的としている滑り止め部材であり、片手での操作の有効性を示唆していない。
【００１０】
また、特許文献４の発明に関しては、携帯電話を対象にしているが、滑り止め部材の形状が複雑であり、それぞれの携帯情報端末機器の形状に合わせた滑り止め部材を製造しなくてはならず、全ての形状に汎用的に使えるものとは言い難い。
【００１１】
以上をふまえると、従来の滑り止め部材は筐体ごとに形状を特化し複雑にすると、携帯情報端末機器の形状が変化した場合、変化の激しい携帯情報端末業界において汎用が利かず、すぐに陳腐化してしまい、不良在庫を重ねる恐れが考えられる。また、放熱効果の減少をもたらし、携帯情報端末機器オリジナルのデザインを損なう結果にもなっている。
【００１２】
携帯情報端末機器としてアップル社のiPad（登録商標）を例に挙げると約１９０ｍｍ×２４３ｍｍで重量は６８０ｇから７３０ｇである。このサイズ、重量の機器を片手で操作を行おうとすると、場合によっては保持しづらく手から滑り落ちることも考えられる。
このサイズは携帯情報端末機器としての用途のひとつであるブックリーダやインターネット閲覧を行う際に最適化されていると思われるため、今後、同様の携帯情報端末機器のスタンダードなスタイルになっていくと思われる。また、iPadのデザインは非常に完成されており、ケースやカバー等で覆うと製品の持つデザイン性を損なう結果となってしまう。
【００１３】
そこで、本考案は携帯情報端末機器のオリジナルのデザイン性を損なわず、携帯情報端末機器を片手で操作する際でも手から滑り落ちないものにするための滑り止め部材を提供することを課題とする。
【課題を解決するための手段】
【００１４】
上記目的を達成するために、携帯情報端末機器に装着されるリング状部材であって、断面の少なくとも一部が平面となる前記リング状部材と、前記平面に設けられた接着層とからなる滑り止め部材を貼着させたもの、または、接着層なしに携帯情報端末機器に嵌合させたものである。
【考案の効果】
【００１５】
本考案は、請求項１乃至６に記載したように構成されているので、以下のような効果を奏する。
【００１６】
請求項１の考案のように断面の少なくとも一部が平面であるリング状の部材を携帯情報端末に装着することにより、手で把持したときや載置時の滑り止めとして機能し、安定な保持状態を提供できる。
さらに、載置時の携帯情報端末機器筐体裏面を保護することもでき、携帯情報端末機器筐体裏面の損傷防止状態、汚れの付着防止状態を提供する。
滑り止め部材の形状を、リング状にしたことにより、必要最小限の部材で最大の効果を狙うことができる。すなわち携帯情報端末機器をどの方向からも滑ることなく安全に持ち運びができ、片手で把持したときに安定して保持した状態で操作でき、さらに携帯情報端末機器のオリジナルのデザイン性を確保して、携帯情報端末機器の放熱を妨げず、さらに部材の製造コストも抑えることができる。
【００１７】
そして、滑り止め部材の形状がリング状であることで、外力が加わらない状態での滑り止め部材の形状が安定しているため、筐体に貼着する際、滑り止め部材の形状を維持したままで貼着し易い効果もある。
ここで、矩形の内側に接する円を考えたとき、矩形よりもリング状である方が部材材料が矩形よりも少ないため内径が同寸の場合、部材の材料を減らすことができる。
【００１８】
また、例えば滑り止め部材の形状を矩形にした場合の角部に力が集中し、角部からの剥がれ、破損の発生を滑り止め部材の形状をリング状にすることにより、一点に掛かる力を分散させることで剥がれ、破損を起こさない効果がある。
滑り止め部材の形状を矩形にした場合、携帯情報端末機器の四隅を把持する場合、均等な力で把持できない。
【００１９】
また、請求項２、３、５または６の考案のようにリング状部材の断面形状を円弧とすることにより、平面との接点が線接点となり、リング状部材にかかる力が分散され携帯情報端末機器からの剥がれや破損が起きないという効果がある。また、手で保持したとき角がない円弧としたほうが指へのあたりがソフトになり、把持しやすいという効果がある。また、載置時にはリング状部材が面で接しないため汚れがつき難いという効果がある。
【００２０】
請求項３または６の考案のように、滑り止め部材の材質をエラストマーまたはゴムとすることにより、摩擦抵抗弾力性を有するという特性によって手または、載置時の平面との摩擦を生み出し、携帯情報端末機器を滑ることなく保持できる。
また、弾力性を有するため筐体の曲面に合わせて装着することができる。
【図面の簡単な説明】
【００２１】
【図１】本考案の実施形態を示す滑り止め部材の正面図である。
【図２】同滑り止め部材の図１におけるＡ−Ａ線断面図である。
【図３】同滑り止め部材を携帯情報端末機器の裏面に装着した状態の斜視図である。
【図４】同滑り止め部材を携帯情報端末機器の裏面に嵌合した場合の断面図例である。
【図５】携帯情報端末機器裏面に滑り止め部材を装着し、把持した図例である。
【図６】携帯情報端末機器裏面に滑り止め部材を装着した横面図である。
【実施例】
【００２２】
以下、本考案の実施例を図面を参照して説明する。
図３は前記滑り止め部材を両面テープで貼着した図である。
両面テープに関しては、今実施例では、滑り止め部材にシリコンゴムを用いているため、シリコンゴム接着用の両面接着シートを用いた。
今両面接着シートは、ポリエステルフィルムの片面にシリコン系粘着剤を、相片面にアクリル系粘着剤を塗布した接着シートで、シート厚は０．０８５ｍｍである。
貼着する際は、脱脂剤等で携帯情報端末機器の貼着面の水分、油分、ゴミなどは取り除き、貼着する。
【００２３】
滑り止め部材を貼着させる場所は、携帯情報端末機器のほぼ中央に貼着させることが望ましい。
そのため、滑り止め部材を携帯情報端末機器の中央に設置する際の貼着が容易になるように、滑り止め部材の接着層上の剥離層を十字に切るように4等分に分離させる。
貼着する際は情報端末機器の中心に滑り止め部材の位置を決め、剥離層の一部を取り去り仮止めし、リング形状を歪ませないように残りの剥離層を取り、貼着させる。
貼着した後は、滑り止め部材の接着面に均等に圧力がかかるようにし、十分な接着強度が出るまで放置しておくようにする。
【００２４】
また、貼着強度が十分であれば、再剥離可能なエラストマーシートを使い、携帯情報端末機器に貼着させることも考えられる。その際の利点としては、他のカバー等を用いるときなどに自由に取り外しができるので携帯情報端末機器に装着するアクセサリーの幅が広がることである。
【００２５】
図4においては嵌合させ、滑り止め部材を携帯情報端末機器の筐体裏面に装着したものである。
この場合も、嵌合に強度が保てないと滑り止め部材が抜け落ちてしまう恐れがあるため、携帯情報端末機器側の溝の形状と、滑り止め部材の嵌合部分の形状は、目的にあわせて、実現している種々の形状を選択して使用すればよい。
【符号の説明】
【００２６】
１・・・リング状部材
２・・・接着層
３・・・剥離層
４・・・携帯情報端末機器
【図１】
0003168919.tif 000003
【図２】
0003168919.tif 000004
【図３】
0003168919.tif 000005
【図４】
0003168919.tif 000006
【図５】
0003168919.tif 000007
【図６】
0003168919.tif 000008
【手続補正書】
【提出日】平成23年4月27日(2011.4.27)
【手続補正１】
【補正対象書類名】実用新案登録請求の範囲
【補正対象項目名】請求項４
【補正方法】変更
【補正の内容】
【請求項４】
携帯情報端末機器に装着されるリング状部材であって、断面の少なくとも一部が前記携帯情報端末機器の溝の形状と嵌合する形状であることを特徴とする滑り止め部材。